(57)【要約】【課題】  記録時に、高倍速記録が可能な光ディスクに記録した情報データの記録状態を確認しながら、光ディスクに情報データを高倍速で記録して、再生時のエラーレートの悪化による画止まりが発生しないようにすることができるようにする。【解決手段】  光ディスクに記録する情報データを一時的に蓄積して、蓄積された情報データを光ディスクに高速で記録し、光ディスクに情報データを記録する毎に、光ディスクに記録された情報データを読み出して、光ディスクに記録された情報データのエラーレートが所定のエラーレート以下であるか否かを判別し、情報データのエラーレートが所定のエラーレート以下でない場合、蓄積されている同じ情報データを光ディスクに高速で上書き記録するようにする。【選択図】        図２
2007018643.tif 000002
【特許請求の範囲】
【請求項１】
書き換え可能な光ディスクに情報データを記録再生するディスク装置であって、
光ディスクに記録する情報データを一時的に蓄積する記憶手段と、光ディスクに情報データを記録するレーザ光の記録パワーを制御する記録制御手段と、前記記憶手段に蓄積された情報データを光ディスクに高速で記録する記録手段と、前記記録手段が光ディスクに情報データを記録する毎に、前記記録手段により光ディスクに記録された情報データを読み出して、光ディスクに記録された情報データのエラーレートが所定のエラーレート以下であるか否かを判別する判別手段と、前記判別手段により情報データのエラーレートが所定のエラーレート以下でないと判別された場合、前記記録制御手段により最適記録パワーより小さい記録パワーに変更して、前記記憶手段に蓄積されている同じ情報データを光ディスクに高速で上書き記録する上書き記録手段とを備えたことを特徴とするディスク装置。
【請求項２】
書き換え可能な光ディスクに情報データを記録再生するディスク装置であって、
光ディスクに記録する情報データを一時的に蓄積する記憶手段と、光ディスクに情報データを記録するレーザ光の記録パワーを制御する記録制御手段と、前記記憶手段に蓄積された情報データを光ディスクに高速で記録する記録手段と、前記記録手段が光ディスクに情報データを記録する毎に、前記記録手段により光ディスクに記録された情報データを読み出して、光ディスクに記録された情報データのエラーレートが所定のエラーレート以下であるか否かを判別する判別手段と、前記判別手段により情報データのエラーレートが所定のエラーレート以下でないと判別された場合、前記記憶手段に蓄積されている同じ情報データを光ディスクに高速で上書き記録する上書き記録手段とを備えたことを特徴とするディスク装置。
【請求項３】
前記上書き記録手段は、前記記憶手段に蓄積されている同じ情報データを光ディスクに高速で上書き記録する際に、前記記録制御手段により光ディスクに情報データを記録するレーザ光の記録パワーを変更して、情報データを光ディスクに上書き記録する上書き記録手段であることを特徴とする請求項２記載のディスク装置。
【請求項４】
前記上書き記録手段は、情報データを光ディスクに上書き記録する毎に、前記記録制御手段により最適記録パワーより小さい記録パワーに順次変更して、情報データの光ディスクへの上書き記録を繰り返す上書き記録手段であることを特徴とする請求項２記載のディスク装置。
【発明の詳細な説明】
【技術分野】
【０００１】
本発明は、書き換え可能な相変化型の光ディスクに情報データを記録再生するディスク装置に係り、特に高倍速記録が可能な光ディスクに良好な記録品質で情報データを記録することができるディスク装置に関する。
【背景技術】
【０００２】
一般に、高倍速記録が可能な光ディスクは、通常の記録再生速度以上の高速で光ディスクに情報データを記録することができるようになっている。しかし、高倍速記録が可能な光ディスクに情報データを高速で記録しているときに、記録エラー等により情報データの記録が完全に停止したり、再生時に、光ディスクに高速で記録した情報データを再生しているときに、光ディスクに記録された情報データのエラーレートの悪化により画止まりが生じたりするという問題点があった。
背景技術としては、パワーキャリブレーションにより得られた最適記録パワーでデータを記録再生し、再生エラーが検出された場合、再度レーザーパワーキャリブレーションを実行して、データを記録再生した領域に再度記録再生し、再生エラーが検出された場合、最適記録パワーより大きな値の記録パワーによりデータを再記録した領域に再再度記録するようにしたものがあった（例えば、特許文献１参照）。
また、記録時に、光ディスクに書き込む記録データを一時的に記憶し、記録データの書き込み後にその記録データを読み出して、記録データの誤りを検出するための誤り検出符号により検出された誤り数を計数して、誤り数が予め定められた所定数を超えた場合に再書き込みの判定を行い、再書き込みが判定された場合、記憶したデータの再書き込みをするようにしたものがあった（例えば、特許文献２参照）。
また、パケットデータを光ディスクに記録した直後にパケット領域のデータを再生して再生エラーが検出されたとき、パワーキャリブレーションを実行して、パワーキャリブレーションにより得られた最適記録レーザパワー値に基づいてパケットデータをパケット領域に上書きするようにしたものがあった（例えば、特許文献３参照）。
また、記録媒体に記録されたデータを復調し、復調データに基づいて記録されたデータの品質を評価して、復調データの誤り訂正を行うか、復調データに基づいて記録されたデータの品質を評価するかを切り換えるようにしたものがあった（例えば、特許文献４参照）。
【特許文献１】特開２００３−２５７０２７号公報
【特許文献２】特開平５−１０９２０６号公報
【特許文献３】特開平１１−４５４４０号公報
【特許文献４】特開２００４−１５８１５３号公報
【発明の開示】
【発明が解決しようとする課題】
【０００３】
しかしながら、背景技術で述べたもののうち最初のものにおいては、パワーキャリブレーションにより得られた最適記録パワーでデータを記録再生し、再生エラーが検出された場合、再度レーザーパワーキャリブレーションを実行して、データを記録再生した領域に再度記録再生し、再生エラーが検出された場合、再度の最適記録パワーより大きな値の記録パワーによりデータを再記録した領域に再再度記録することができたが、光ディスクに強い書き込みパワーで記録されている記録領域にデータを上書きした場合に、書き込みパワーが比較的弱い場合に信号の劣化が発生したり、パケットライトにおいて過去に記録されたファイルを含めて再生不可になったりしないようにしたものであって、上記問題点を解決するようにしたものではなかった。
また、次のものにおいては、記録時に、光ディスクに書き込む記録データを一時的に記憶し、記録データの書き込み後にその記録データを読み出して、記録データの誤りを検出するための誤り検出符号により検出された誤り数を計数して、誤り数が予め定められた所定数を超えた場合に再書き込みの判定を行い、再書き込みが判定された場合、記憶したデータの再書き込みをすることができたが、記録時に一時的な衝撃等による記録ミスによって情報の欠落が発生した場合、再書き込みによりその欠落を防ぐとともに、ある程度の情報の欠落があったとしても再生に問題とならない場合には、必要のない再書き込みを繰り返さないようにしたものであって、上記問題点を解決するようにしたものではなかった。
また、更にその次のものにおいては、パケットデータを光ディスクに記録した直後にパケット領域のデータを再生して再生エラーが検出されたとき、パワーキャリブレーションを実行して、パワーキャリブレーションにより得られた最適記録レーザパワー値に基づいてパケットデータをパケット領域に上書きすることができたが、再生エラーが発生したときにのみ再度パワーキャリブレーションを行い、データを記録する毎にパワーキャリブレーションを実行せずに、必要なときにのみパワーキャリブレーションを実行するようにしたものであって、上記問題点を解決するようにしたものではなかった。
また、更にその次のものにおいては、記録媒体に記録されたデータを復調し、復調データに基づいて記録されたデータの品質を評価して、復調データの誤り訂正を行うか、復調データに基づいて記録されたデータの品質を評価するかを切り換えることができたが、追いかけ再生を行いながら、記録されたデータを検証し、品質が悪いセクタに対して再書き込みを行うようにしたものであって、上記問題点を解決するようにしたものではなかった。
本発明は、背景技術の有するこのような問題点に鑑みてなされたものであり、その目的とするところは、記録時に、高倍速記録が可能な光ディスクに記録した情報データの記録状態を確認しながら、光ディスクに情報データを高倍速で記録して、再生時のエラーレートの悪化による画止まりが発生しないようにすることができるディスク装置を提供しようとするものである。
【課題を解決するための手段】
【０００４】
上記目的を達成するため本発明においては、書き換え可能な光ディスクに情報データを記録再生するディスク装置であって、光ディスクに記録する情報データを一時的に蓄積する記憶手段と、光ディスクに情報データを記録するレーザ光の記録パワーを制御する記録制御手段と、前記記憶手段に蓄積された情報データを光ディスクに高速で記録する記録手段と、前記記録手段が光ディスクに情報データを記録する毎に、前記記録手段により光ディスクに記録された情報データを読み出して、光ディスクに記録された情報データのエラーレートが所定のエラーレート以下であるか否かを判別する判別手段と、前記判別手段により情報データのエラーレートが所定のエラーレート以下でないと判別された場合、前記記憶手段に蓄積されている同じ情報データを光ディスクに高速で上書き記録する上書き記録手段とを備える。
前記上書き記録手段は、前記記憶手段に蓄積されている同じ情報データを光ディスクに高速で上書き記録する際に、前記記録制御手段により光ディスクに情報データを記録するレーザ光の記録パワーを変更して、情報データを光ディスクに上書き記録するようにするとよい。
また、前記上書き記録手段は、情報データを光ディスクに上書き記録する毎に、前記記録制御手段により最適記録パワーより小さい記録パワーに順次変更して、情報データの光ディスクへの上書き記録を繰り返すようにするとよい。
これらの手段により、記録時に、高倍速記録が可能な光ディスクに記録した情報データの記録状態を確認しながら、光ディスクに情報データを高倍速で記録して、再生時のエラーレートの悪化による画止まりが発生しないようにすることができる。
【発明の効果】
【０００５】
請求項１記載の発明に係るディスク装置によれば、光ディスクに記録する情報データを一時的に蓄積して、蓄積された情報データを光ディスクに高速で記録し、光ディスクに情報データを記録する毎に、光ディスクに記録された情報データを読み出して、光ディスクに記録された情報データのエラーレートが所定のエラーレート以下であるか否かを判別し、情報データのエラーレートが所定のエラーレート以下でない場合、最適記録パワーより小さい記録パワーに変更して、蓄積されている同じ情報データを光ディスクに高速で上書き記録するようにしているので、記録時に、高倍速記録が可能な光ディスクに記録した情報データの記録状態を確認しながら、光ディスクに情報データを高倍速で記録して、光ディスクに記録された情報データのエラーレートが所定のエラーレート以下でない場合、相変化型の書き換え可能な光ディスクの記録媒質がレーザ光の照射により劣化しないように、最適記録パワーより順次小さくして光ディスクに同じ情報データを上書き記録し、再生時のエラーレートの悪化による画止まりが発生しないようにすることができる。
請求項２記載の発明に係るディスク装置によれば、光ディスクに記録する情報データを一時的に蓄積して、蓄積された情報データを光ディスクに高速で記録し、光ディスクに情報データを記録する毎に、光ディスクに記録された情報データを読み出して、光ディスクに記録された情報データのエラーレートが所定のエラーレート以下であるか否かを判別し、情報データのエラーレートが所定のエラーレート以下でない場合、蓄積されている同じ情報データを光ディスクに高速で上書き記録するようにしているので、記録時に、高倍速記録が可能な光ディスクに記録した情報データの記録状態を確認しながら、光ディスクに情報データを高倍速で記録して、光ディスクに記録された情報データのエラーレートが所定のエラーレート以下でない場合、同じ情報データを光ディスクに上書き記録し、再生時のエラーレートの悪化による画止まりが発生しないようにすることができる。
請求項３記載の発明に係るディスク装置によれば、蓄積されている同じ情報データを光ディスクに高速で上書き記録する際に、光ディスクに情報データを記録するレーザ光の記録パワーを変更して、情報データを光ディスクに上書き記録するようにしているので、相変化型の書き換え可能な光ディスクの記録媒質がレーザ光の照射により劣化しないようにして、同じ情報データを光ディスクに上書き記録し、再生時のエラーレートの悪化による画止まりが発生しないようにすることができる。
請求項４記載の発明に係るディスク装置によれば、情報データを光ディスクに上書き記録する毎に、前記記録制御手段により最適記録パワーより小さい記録パワーに順次変更して、情報データの光ディスクへの上書き記録を繰り返すようにしているので、相変化型の書き換え可能な光ディスクの記録媒質がレーザ光の照射により劣化しないようにして、同じ情報データを光ディスクに上書き記録し、再生時のエラーレートの悪化による画止まりが発生しないようにすることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２の記録面にレーザ光を照射してその反射光を検出し、光ディスク２に記録された情報データを読み出す光ピックアップ３と、光ディスク２を回転させるスピンドルモータ４と、スピンドルモータ４を駆動して光ディスク２の回転速度をサーボ制御するスピンドルサーボ回路５と、光ピックアップ３を光ディスク２の半径方向にスレッド移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により読み出された情報データのＲＦ（Ｒａｄｉｏ  Ｆｒｅｑｕｅｎｃｙ）信号を増幅するとともに、光ディスク２に記録する情報データのＲＦ信号を増幅するＲＦ増幅回路１０と、ＲＦ増幅回路１０により増幅された情報データのＲＦ信号を基準クロックに基づいて同期検出して復調し、復調された情報データの誤りを訂正して、所定の圧縮方式に基づいて圧縮された情報データを伸張して復号し、光ディスク２に記録された情報データを再生するとともに、情報データを符号化して所定の圧縮方式に基づいて圧縮する信号処理回路１１と、光ピックアップ３により光ディスク２から読み出された情報データを一時的に蓄積するとともに、光ピックアップ３により光ディスク２に記録する情報データを一時的に蓄積するバッファメモリ１２と、情報データを光ディスク２に記録するレーザ光の記録パワーを制御する記録制御回路１３と、ディスク装置１のシステム全体を制御するマイコン１４と、リモコン装置２０から送信された赤外線信号のリモコン信号を受信して、所定の電気信号に変換するリモコン受信部１５とで構成されている。
以上のように構成されたディスク装置について、以下その動作について説明する。
リモコン装置２０のキー操作により情報データの光ディスク２への記録が指令されると、マイコン１４は、スピンドルサーボ回路５に制御信号を送出して、スピンドルモータ４を駆動して光ディスク２を回転させ、スレッドサーボ回路７に制御信号を送出して、スレッドモータ６を駆動して光ピックアップ３を光ディスク２の半径方向にスレッド移動させ、記録制御回路１３に制御信号を送出して、ＯＰＣ（Ｏｐｔｉｍｕｍ  Ｐｏｗｅｒ  Ｃａｌｉｂｒａｔｉｏｎ）に基づく最適記録パワーで光ピックアップ３によりバッファメモリ１２に蓄積された情報データを光ディスク２に少なくとも２倍速以上の高速で記録する。
バッファメモリ１２に蓄積された情報データを光ディスク２に高速で記録すると、マイコン１４は、情報データの光ディスク２への記録を休止して、光ディスク２に記録された情報データを光ピックアップ３により読み出して、ＲＦ増幅回路１０から送出されたＲＦ信号に基づいて光ディスク２に記録された情報データのエラーレートを測定し、測定されたエラーレートが所定のエラーレート以下、例えば、２０００以下であるか否かを判別する。そして、測定されたエラーレートが所定のエラーレート以下である場合、マイコン１４は、バッファメモリ１２に順次蓄積された情報データを光ディスク２に高速で記録する（図２（ａ）参照）。これにより、記録時に、光ディスク２に記録した情報データの記録状態を確認しながら、光ディスク２に情報データを高速で順次記録するようにしているので、エラーレートの悪化による画止まりが発生したりすることがない良好な記録品質で情報データを光ディスク２に記録することができる。
また、測定されたエラーレートが所定のエラーレート以下でない場合、マイコン１４は、記録制御回路１３に制御信号を送出して、光ピックアップ３のレーザ光の記録パワーを変更し、バッファメモリ１２に蓄積されている同じ情報データを光ディスク２に再度高速で上書き記録する（図２（ｂ）参照）。バッファメモリ１２に蓄積されている同じ情報データを光ディスク２に上書き記録する毎に、相変化型の書き換え可能な光ディスク２の記録媒質がレーザ光の照射により劣化しないように、情報データを光ディスク２に記録するレーザ光の記録パワーをＯＰＣに基づく最適記録パワーの９０％、８５％、８０％と順次小さくして、同じ情報データを光ディスク２に繰り返して上書き記録し、光ディスク２に記録された情報データのエラーレートが所定のエラーレート以下になるようにする。これにより、記録時に、光ディスク２に記録した情報データのエラーレートが所定のエラーレート以下になるように、同じ情報データを光ディスク２に上書き記録するようにしているので、エラーレートの悪化による画止まりが発生したりすることがない良好な記録品質で情報データを記録することができる。
また、図３の本発明の一実施例のディスク装置の動作を示すフローチャートを基に説明する。
リモコン装置のキー操作により情報データの光ディスクへの記録が指令されると、ステップＳ１からステップＳ２に進み、ステップＳ２で、バッファメモリに蓄積された情報データが光ディスクに少なくとも２倍速以上の高速で記録され、ステップＳ３に進む。
ステップＳ３で、情報データの光ディスクへの記録が休止され、光ディスクに記録された情報データが読み出されて、情報データのエラーレートが測定され、ステップＳ４に進む。
ステップＳ４で、測定された情報データのエラーレートが所定のエラーレート以下であるか否かが判断され、測定された情報データのエラーレートが所定のエラーレート以下である場合、ステップＳ６に進み、測定された情報データのエラーレートが所定のエラーレート以下でない場合、ステップＳ５に進む。
ステップＳ５で、光ディスクに情報データを記録するレーザ光の記録パワーが変更されて、同じ情報データが光ディスクに再度高速で上書き記録され、ステップＳ３に戻って、ステップＳ３からのステップを繰り返す。
ステップＳ６で、情報データの光ディスクへの記録が終了したか否かが判断され、情報データの光ディスクへの記録が終了した場合、ステップＳ７に進んで処理を終了し、情報データの光ディスクへの記録が終了していない場合、ステップＳ２に戻って、ステップＳ２からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  ＲＦ増幅回路
１１  信号処理回路
１２  バッファメモリ
１３  記録制御回路
１４  マイコン
１５  リモコン受信部
２０  リモコン装置
【図１】
2007018643.tif 000003
【図２】
2007018643.tif 000004
【図３】
2007018643.tif 000005